(57)【要約】      （修正有）【課題】現在のネットショッピングでは携帯電話・モバイル機器、テレビ、コンピュータという別々の端末によって統合性が無く、ユーザーが必要としている情報を慣用に入手できない。そこで世界中で通用し、コンピュータ，テレビ，携帯電話など全ての端末で再現できるようにする。【解決手段】テレビとネットと携帯電話の融合によるクロスメディアの最適な仕様として、ショッピング・オークション・検索・広告・ＳＮＳ・電子地図などのコンテンツを進化させ、Ｗｅｂ２．０を超えたビジネスモデルを実現でき、検索広告などのビジネスモデルに唯一対抗できる。【選択図】図３
2010044728.tif 000002
【特許請求の範囲】
【請求項１】
電子文字・電子図形・電子映像で表示される電子世界地図データを分散して検索の指示を入力する入力手段と、前記入力手段により入力された指示に従い、前記電子文字・電子図形・電子映像の電子世界地図データを検索する検索手段と、前記検索手段により検索された前記電子世界地図データを記憶する記憶手段と、他の情報処理装置により、前記記憶手段により記憶されている前記電子世界地図データの検索が指示された場合、その指示に従い、前記記憶手段から前記電子世界地図データを読み出し、コンピュータ本体、テレビ、携帯電話に出力される電子世界地図データをディスプレイに表示するプログラム。
【請求項２】
情報処理装置のモニターに表示される電子文字・電子図形・電子映像と、同色の電子文字・電子図形・電子映像のリンクボタンを作成することで透明化し、記憶端末により送信される電子文字・電子図形・電子映像・電子音を分散して検索の指示を入力する入力手段と、前記入力手段により入力された指示に従い、前記電子文字・電子図形・電子映像・電子音のコンテンツデータを検索する検索手段と、前記検索手段により検索された前記コンテンツデータを記憶する記憶手段と、他の情報処理装置で、前記記憶手段により記憶されている前記コンテンツデータの検索が指示された場合、その指示に従い、前記記憶手段から前記コンテンツデータを読み出し、コンピュータ本体、テレビ、携帯電話に出力される透明化したリンクボタンとコンテンツデータをディスプレイに表示するプログラム。
【請求項３】
請求項２のプログラムにおいて、コンピュータ本体、テレビ、携帯電話のディスプレイの最適な場所に請求項２の透明化した電子文字・電子図形・電子映像のリンクボタンを表示させるため、情報処理装置の使用者のマウスポインタの動きを記憶し、使用者のマウスポインタの動きのパターンをデータ化して、前記記憶手段から前記マウス移動データを読み出し、コンピュータ本体、テレビ、携帯電話に出力される透明化したリンクボタンをディスプレイの最適な場所に表示させるプログラム。
【請求項４】
従来のリンクボタンや従来の検索ボタン以外の空いた空間に透明化した電子文字・電子図形・電子映像のリンクボタンを表示させるプログラム。
【請求項５】
情報処理装置のモニターに表示される本発明の透明化した電子文字・電子図形・電子映像のリンクボタンや従来のリンクボタンに使用者がオンマウスした際、検索結果で表示される電子文字・電子図形・電子映像の他に、サービス提供者が検索結果に関係なく最優先の入力データを電子文字・電子図形・電子映像・電子音・ＱＲコードとして表示させるプログラム。
【請求項６】
情報処理装置及び、ＱＲコードなどにおいて、コンピュータ本体、テレビ、携帯電話に表示される電子文字・電子図形・電子映像を電子音に変換し、出力するプログラム。
【請求項７】
サーバーに記憶されている電子文字・電子図形・電子映像をパソコン・テレビ、リライトカードを使用して携帯電話に送信するため、ＱＲコードを出力、または変換するプログラム。
【発明の詳細な説明】
【技術分野】
【０００１】本発明は、クロスメディア・Ｗｅｂ２．０と表現されている次世代Ｗｅｂビジネスモデルによって予想される、電子文字・電子図形・電子映像・電子音を利用したコンテンツの表現を特定し、携帯電話・モバイル機器、テレビ、コンピュータを使用して、データ化した電子文字・電子図形・電子映像・電子音を、視聴者・閲覧者に最適な仕様で表現するため、情報処理装置を利用し、プログラム化して提供するシステムである。
【背景技術】
【０００２】「多重索引に基づく情報検索システム」などは考案されている。
【特許文献１】特開２００８−５２９１３８号  公報
【発明の開示】
【発明が解決しようとする課題】
【０００３】現在、テレビの視聴時間は減り続け、逆にネットの閲覧時間は増え続けている。それに伴いネットでの主導権争いは激しさを増し、似通ったビジネスモデル、コンセプトの限界により利用範囲が狭められ、またＷｅｂの広告レベルが低下し、広告効果が失い続けている。【０００４】現在のＧｏｏｇｌｅアースなどの電子地図システムでは使用者が閲覧するだけで直接ビジネスに結び付かないという欠点がある。【０００５】現在のネットショッピングでは携帯電話・モバイル機器、テレビ、コンピュータという別々の端末によって統合性が無く、ユーザーが必要としている情報を慣用に入手できないという欠点がある。
【課題を解決するための手段】
【０００６】請求項１に記載のプログラムは、電子文字・電子図形・電子映像で表示される電子世界地図データを分散して検索の指示を入力する入力手段と、前記入力手段により入力された指示に従い、前記電子文字・電子図形・電子映像の電子世界地図データを検索する検索手段と、前記検索手段により検索された前記電子世界地図データを記憶する記憶手段と、他の情報処理装置により、前記記憶手段により記憶されている前記電子世界地図データの検索が指示された場合、その指示に従い、前記記憶手段から前記電子世界地図データを読み出し、コンピュータ本体、テレビ、携帯電話に出力される電子世界地図データをディスプレイに表示するため、電子化された地球の南半球と北半球、東経と西経を数値化し、公式を利用してデータを表示するプログラム。【０００７】請求項２に記載のプログラムは、情報処理装置のモニターに表示される電子文字・電子図形・電子映像と、同色の電子文字・電子図形・電子映像のリンクボタンを作成することで透明化し、記憶端末により送信される電子文字・電子図形・電子映像・電子音を分散して検索の指示を入力する入力手段と、前記入力手段により入力された指示に従い、前記電子文字・電子図形・電子映像・電子音のコンテンツデータを検索する検索手段と、前記検索手段により検索された前記コンテンツデータを記憶する記憶手段と、他の情報処理装置で、前記記憶手段により記憶されている前記コンテンツデータの検索が指示された場合、その指示に従い、前記記憶手段から前記コンテンツデータを読み出し、コンピュータ本体、テレビ、携帯電話に出力される透明化したリンクボタンとコンテンツデータをディスプレイに表示するため、数値化されたデータに従い閲覧者がモニターで見え難い状況で電子文字・電子図形・電子映像を表示するプログラム。【０００８】請求項３に記載のプログラムは、請求項２のプログラムにおいて、コンピュータ本体、テレビ、携帯電話のディスプレイの最適な場所に請求項２の透明化した電子文字・電子図形・電子映像のリンクボタンを表示させるため、情報処理装置の使用者のマウスポインタの動きを記憶し、使用者のマウスポインタの動きのパターンをデータ化して、前記記憶手段から前記マウス移動データを読み出し、コンピュータ本体、テレビ、携帯電話に出力される透明化したリンクボタンをディスプレイの最適な場所に表示させるため、使用者のマウスポインタの動き・クリックした場所・マウスポインタが停止した場所・時間を数値化し記憶する。【０００９】請求項４に記載のプログラムは、従来のリンクボタンや従来の検索ボタン以外の空いた空間に透明化した電子文字・電子図形・電子映像のリンクボタンを表示させるプログラムであり、従来のリンクボタンと従来の検索ボタンなどの見える電子文字・電子図形・電子映像以外の空いたスペースに、空いたスペースのカラーと同色のリンクボタンを、閲覧者がモニターで見え難い状況で電子文字・電子図形・電子映像として表示するプログラム。【００１０】請求項５に記載のプログラムは、情報処理装置のモニターに表示される本発明の透明化した電子文字・電子図形・電子映像のリンクボタンや従来のリンクボタンに使用者がオンマウスした際、検索結果で表示される電子文字・電子図形・電子映像の他に、サービス提供者が検索結果に関係なく最優先の入力データを電子文字・電子図形・電子映像・電子音・ＱＲコードとして表示させるため、表示する電子文字・電子図形・電子映像・電子音・ＱＲコードを記憶し、オンマウスによって指示された場合、データを多重の吹き出しとして表示する。【００１１】請求項６に記載のプログラムは、情報処理装置及び、ＱＲコードなどにおいて、コンピュータ本体、テレビ、携帯電話に表示される電子文字・電子図形・電子映像を電子音に変換し、出力するため、電子文字・電子図形・電子映像のデータを数値化し、数値に基づきデータを電子音に変換し、スピーカー・ヘッドフォンを利用し外部出力する。【００１２】請求項７に記載のプログラムは、サーバーに記憶されている電子文字・電子図形・電子映像をパソコン・テレビ、リライトカードを使用して携帯電話に送信するため、ＱＲコードを出力、または変換するため、ＱＲコードを変換・出力する必要があり、電子文字・電子図形・電子映像が保存されている記憶端末装置・サイトの情報をＱＲコードに変換してコンピュータ本体・モニター、テレビ、リライトカードに表示し、また電子文字・電子図形・電子映像を数値化し、プログラムにおいて自動的にＱＲコードに変換し出力するプログラムである。
【発明の効果】
【００１３】上述した課題を解決し、目的を達成するため、請求項１の効果を以下説明する。【００１４】本発明により、閲覧者は電子地図内の正確な場所を簡単に特定でき閲覧・検索できる。また分散して地図データを確認できるため、携帯端末のバッテリーを節約でき、インターネットの情報を携帯電話で簡単に利用できる。さらに、センチ単位で地図を表現できるため地球の裏をワンクリックで特定できるため、世界中の人が参加するＳＮＳのコンテンツとして有効である。【００１５】上述した課題を解決し、目的を達成するため、請求項２の効果を以下説明する。【００１６】本発明により、閲覧者は広告が掲載されているＨＰ・サイトをストレスなく閲覧できるため、アクセス率が増える。そのため、閲覧・視聴効果と広告効果が飛翔的に向上する。【００１７】上述した課題を解決し、目的を達成するため、請求項３の効果を以下説明する。【００１８】本発明により、閲覧者がクリックしやすい箇所を特定し本発明の見え難いリンクボタンを最適な個所に表示できる。広告の数に影響されない広告リンクを表示できる。【００１９】上述した課題を解決し、目的を達成するため、請求項４の効果を以下説明する。【００２０】本発明により、数千・数万のリンクボタンを１ページに無理なく表示できるため、閲覧・視聴効果と広告効果が飛翔的に向上する。【００２１】上述した課題を解決し、目的を達成するため、請求項５の効果を以下説明する。【００２２】本発明により、検索結果に連動した広告と新商品など検索されにくい広告を同時に表示できるため広告効果が飛翔的に向上する。【００２３】上述した課題を解決し、目的を達成するため、請求項６の効果を以下説明する。【００２４】本発明により、使用者はコンピュータ本体、テレビ、携帯電話のモニターを観ることなくスピーカーやイヤホーンから聴くことができ、視力低下・注意不足による事故を防ぐ事が出来る。【００２５】上述した課題を解決し、目的を達成するため、請求項７の効果を以下説明する。【００２６】本発明により、テレビやコンピュータ（パソコン）によるインターネットや情報端末機のモニター、リライトカードに表示されるＱＲコードから直接、携帯電話で電子文字・電子映像・電子画像などのコンテンツを携帯電話に送信することができ、電子書簡や電子マンガなどを含めたネットショッピングのビジネスモデルが飛翔的に変革し向上するのである。
【発明を実施するための最良の形態】
【００２７】以下に添付図面を参照して、この発明にかかる好適な実施の形態を詳細に説明する。【００２８】図１は、本発明の請求項１の電子画面に表示される表示例を示す図であり、電子地球１−３と（北半球１−４、南半球１−５、北米大陸１−７、オーストラリア大陸１−６）決定アイコン４−１・４−２、上空写真・地図３−１・３−２（建物２−３）を示したものである。また建物２−３がデパート・スーパー・小売店などの商店である場合、本発明の請求項２を実施するための最良の形態である、形成された同色のリンクボタン１８−２にオンマウスすると吹き出し１８−３が表示される事と同様の効果を得ることができ、吹き出しには商店の広告とリンク先、更に携帯電話でアクセスするためのＱＲコードが表示される。【００２９】本発明の請求項１を実施するための最良の形態は、経度緯度が全く反対の地域を表示する指示行う決定アイコン４−１、同緯度で経度だけが反対の地域を表示する指示を行う決定アイコン４−２を選択後、選択に従って、元の上空写真・地図３−１と反対側の上空写真・地図３−２の表示窓に電子化された上空写真・地図が表示される。元の位置を示すポインタ１−１をオンマウスで動かす事により反対側の位置を示すポインタ１−２が連動して動き、また同時に元の位置を示すポインタ２−１、反対側の位置を示すポインタ２−２も連動し動く。（元の位置を示すポインタ１−１と、反対側の位置を示すポインタ１−２と、元の位置を示すポインタ２−１と、反対側の位置を示すポインタ２−２は全て連動しており、各ポインタにオンマウスで操作出来る。また３−３には元の上空写真・地図３−１の緯度と経度、３−４には反対側の上空写真・地図３−２の緯度と経度が表示され、５−１には元の上空写真・地図３−１の地名・建物名、５−２には反対側の上空写真・地図３−２の地名・建物名が表示される。【００３０】本発明の請求項１を実施するための最良の計算式は、経度緯度が全く反対の地域を表示する場合、緯度と経度を距離で数値化して、北緯をプラス、南緯をマイナス、東経をプラス、西経をマイナスでデータ化し、それぞれプラスの場合はマイナス、マイナスの場合はプラスに反転させ全く反対の地域を特定する。同緯度で経度だけが反対の地域を表示する場合は、緯度と経度を距離で数値化して、北緯をプラス、南緯をマイナス、東経をプラス、西経をマイナスでデータ化し、経度だけをプラスの場合はマイナス、マイナスの場合はプラスに反転させ、緯度のプラスとマイナスは反転させず、同緯度で経度だけが反対の地域を特定する。
（経度と緯度がゼロの場合は、それぞれゼロの地域を特定する）【００３１】図２は、本発明の請求項１の構成で行われる電子地図について説明するフローチャートであり、位置検出（ステップＳ１０）形式情報復元（ステップＳ１１）を経由し、緯度と経度を反転しますか？（ステップＳ１２：Ｙｅｓ）を選択すると緯度と経度反転（ステップＳ１３）のデータが読みだされ、形式情報決定（ステップＳ１４）データ復元（ステップＳ１５）を経由し、出力（ステップＳ１６）により、図１の３−１・３−３・５−１の電子図形・電子文字の緯度と経度のプラスとマイナスを反転させた地域の電子図形・電子文字を３−２・３−４・５−２に表示する。
緯度と経度を反転しますか？（ステップＳ１２：Ｎｏ）を選択すると経度だけ反転（ステップＳ２３）に進みデータが読みだされ、形式情報決定（ステップＳ２４）データ復元（ステップＳ２５）を経由し、出力（ステップＳ２６）により図１の３−１・３−３・５−１の電子図形・電子文字の経度だけのプラスとマイナスを反転させた地域の電子図形・電子文字を３−２・３−４・５−２に表示する。【００３２】図の３は、本発明の請求項２の電子画面に表示される表示例を示す図であり、検索により検索結果を表示する図である。検索が指示されると指定されていた電子文字・電子図形・電子映像（広告なども含む）がパソコン・テレビ・携帯電話などのモニターに表示され、表示されるバックグラウンドの電子文字・電子図形・電子映像と同色のリンクボタン１８−２が形成される。【００３３】本発明の請求項２を実施するための最良の形態は、形成された同色のリンクボタン１８−２にオンマウスすると吹き出し１８−３が表示される。ちなみに図３の吹き出し１８−３の左側は検索結果へのリンク、中央と右側は指定されていた広告などのサイトへのリンクである。
検索結果を示すボタン１８−１はオンマウスにより吹き出し１８−３を表示し、検索結果と予め指定されていた広告などのリンクを表示する。
また、携帯電話の画像にも同様に表示され、操作ボタンと電子文字・電子図形・電子映像の電子選択表示によってリンクボタンが認識されリンク先へアクセスする。【００３４】図４は、本発明の請求項２の構成で行われる情報処理について説明するフローチャートであり、情報処理装置に検索の指示が行われると、電子文字・電子図形・電子映像として表示させるため、検索１８−３データ取得（ステップＳ１００）検索結果アイコン１８−１データ取得（ステップＳ１０１）・広告１８−３データ取得（ステップＳ１０２）・バックグラウンドデータ取得（ステップＳ１０３）・リンクボタン１８−２データ取得（ステップＳ１０４）により、データフレーム作成（ステップＳ１０５：Ｙｅｓ）、を経由し、データ送信（ステップＳ１０６）され、図３に最適な電子文字・電子図形・電子映像・電子音が情報として表示される。【００３５】図５は、本発明の請求項３の構成で行われるリンク形成について説明するフローチャートであり、情報処理装置に電源が入りインターネットに接続されると、使用者のマウスポインタの移動データ（ステップＳ８０）クリックの位置データ（ステップＳ８１）オンマウスの位置データ（ステップＳ８２）を取得し、データにより使用者のマウスポインタの移動・停止位置・時間とクリックの位置・回数・時間とオンマウスの位置・回数・時間のパターンを特定（ステップＳ８３：ＹＥＳ）を経由し、最適なリンクボタンの位置を特定（ステップＳ８４）し、モニターに表示される電子文字・図形・映像のバックグランドカラーのデータを取得（ステップＳ８５）し、表示されるリンクボタンのカラーを透明化させるため最適なカラーに変換（ステップＳ８６：ＹＥＳ）を経由し、リンクボタンデータ取得（ステップＳ８７）データフレーム作成（ステップＳ８８：ＹＥＳ）を経由し、データを送信（ステップＳ８９）され透明なリンクが表示される。【００３６】図６は、本発明の請求項４の電子画面に表示される表示例を示す図であり、従来のリンクボタン８−１や従来の検索ボタン８−３などの空いた空間にバックグランドカラーと同一化させ透明化させた電子文字・電子図形・電子映像のリンクボタン８−２を表現している。またリンクボタン８−２にオンマウスすると、本発明の請求項２を実施するための最良の形態である、形成された同色のリンクボタン１８−２にオンマウスすると吹き出し１８−３が表示される事と同様の効果を得ることができる。【００３７】図７は、本発明の請求項４の構成で行われる透明なリンクボタンの表示について説明するフローチャートであり、モニターに表示する電子画像の位置検出（ステップＳ６０）をすると、形式情報復元（ステップＳ６１）が行われ、通常のリンクボタンの位置データを取得（ステップＳ６２）、透明なリンクボタンの位置を特定し表示するため、バックグランドカラーのデータを取得（ステップＳ６３）、バックグランドの空いた空間のデータを取得（ステップＳ６４）、透明化させたリンクボタンのデータを取得（ステップＳ６５）し、透明化させたリンクボタンのデータを表示（ステップＳ６６：ＹＥＳ）を経由し、形式情報決定（ステップＳ６７）され、データ復元（ステップＳ６８）によって出力（ステップＳ６９）される。【００３８】図の８は、本発明の請求項５の電子吹き出しに表示される表示例を示す図であり、電子文字７−１電子図形・電子映像７−２、電子ＱＲコード７−３を表現している。また７−１・７−２・７−３には本発明の請求項１と請求項２と請求項３と請求項４の検索などの指示で表示される広告データやＱＲコードが表示される。【００３９】図の９は、本発明の請求項５の構成で行われる電子吹き出しについて説明するフローチャートあり、検索データ取得（ステップＳ１００）、広告データ取得（ステップＳ１０１）を認識し、ＱＲコードを表示しますか？（ステップＳ１０２：ＮＯ）を経由し、またＱＲコードを表示しますか？（ステップＳ１０２：ＹＥＳ）を経由の場合は、ＱＲコードデータ取得（ステップ１０３）から、データフレーム作成（ステップＳ１０４：ＹＥＳ）を経由し、データ送信（ステップ１０５）により吹き出しが表示される。【００４０】図の１０は、本発明の請求項６の構成で行われる電子音変換について説明するフローチャートであり、外部情報処理装置から携帯電話などの携帯用端末に送信されてきた電子文字・電子図形・電子映像のデータを数値化し、数値に基づきデータを電子音に変換する仕組みを示したものである。文字データが認識されると文字形式認識（ステップＳ８００：ＹＥＳ）、図形データが認識されると図形形式認識（ステップＳ８０１：ＹＥＳ）、映像データが認識されると映像形式認識（ステップＳ８０２：ＹＥＳ）を経由し、電子図書などの文字は音声化、壁紙などの図形は画像の説明を音声化、プロモーションビデオなどの映像は音楽化して利用するため、認識データを数値化（ステップＳ８０３）、電子音に変換しますか？（ステップＳ８０４：ＹＥＳ）を経由し、電子音に変換されたデータが、データ送信（ステップＳ８０５）されることで聴くことができる。【００４１】図の１１は、本発明に適用した通信・放送システムの構成を示す図であり、視聴者・閲覧者がネットワーク３００を通じ、コンテンツサーバー３０１・広告サーバー３０２・検索エンジン３０３・電子メールサーバー３０４から、コンビニなどの情報端末３０５・パソコン３０６・デジタルＴＶ３０７に電子化された電子文字・電子図形・電子映像・ＱＲコードを視聴・閲覧・記憶する構成を示した図である。【００４２】図の１２は（テレビ・パソコン・コンビニなどの情報端末のモニターに表示される）本発明の請求項７の電子画面に表示される表示例を示す図であり、広告・電子図書（本などの出版物を電子化したもの）・商品などの電子文字・電子図形・電子映像５−１を示したものである。表示された電子文字・電子図形・電子映像５−１へのサイトアクセス・説明確認・商品注文・支払い（銀行口座・クレジットカード・電子マネー）を携帯電話を利用して記憶・送受信させるためＱＲコード５−２をテレビ・パソコン・コンビニなどの情報端末のモニターに表示する。【００４３】図の１３は、本発明の請求項７の構成で行われるＱＲコードについて説明するフローチャートであり、インターネット・放送・ネットワークを通じ、コンテンツデータを取得（ステップＳ７０）すると携帯電話にコンテンツデータを記憶・送受信させるため、ＱＲコードに変換（ステップＳ７１）し、ＱＲコードを表示しますか？（ステップＳ７２：ＹＥＳ）を経由し、ＱＲコードのデータを取得（ステップＳ７３）し、データフレーム作成（ステップＳ７４：ＹＥＳ）を経由し、データ送信（ステップＳ７５）され、ＱＲコードがテレビ・パソコン・コンビニなどの情報端末のモニターに表示され、携帯電話でＱＲコードを読み取りコンテンツを利用できる。【００４４】図の１４は、本発明の請求項７の構成で行われる支払い方法のブロック図であり、テレビ・パソコン・コンビニなどの情報端末のモニターに表示される５０００の画面で購入します４００をクリックすると、５００１が表示されＱＲコード４０１をクリックすると、５００２のＱＲコードが表示される。表示されたＱＲコードを携帯電話のカメラで読み取ると、５００３が携帯電話のモニターに表示され購入します４０２を選択し確定すると、５００４が表示され価格の１００００円４０３を選択し確定すると、５００５が表示され売買が成立する。【００４５】図の１５は、本発明の請求項７の構成で行われる支払い方法について説明するフローチャートであり、商品データを取得（ステップＳ３０）し、商品を購入するため、イベント（ステップＳ３１）でＱＲコード表示（ステップＳ３２）を選択するとＱＲコードのデータを送信（ステップＳ３３）によってＱＲコードがテレビ・パソコン・コンビニなどの情報端末のモニターに表示され、携帯電話のカメラで読み取ることができる。またイベント（ステップＳ３１）で電子マネーの支払いを選択すると電子マネーでの支払（ステップＳ３４）、クレジットを選択するとクレジットでの支払（ステップＳ３５）に進む。【００４６】図の１６は、本発明の請求項７の構成を示す見取り図とＱＲコードのリライトカードである。テレビ２０３・パソコン２００・コンビニなどの情報端末２０２とリライトカードリーダライタ２０１を接続し、ネットや放送、ネットワークによって送られてくる電子文字・電子図形・電子映像を携帯電話で記憶・送受信するためリライトカードリーダライタ２０１でＱＲコードを表示するリライトカード２０４を作成する。本発明によりＱＲコードを表示したリライトカードを持ち運ぶ事ができるため、出版物を郵送するのではなく、電子化して本屋やコンビニで流通させることが出来、コスト削減・ＣＯ２削減・資源の活用などの効果が発生する。またＱＲコードは何度も使用でき他人と共有できる。この発明により、ネットで注文した出版物を電子化した物を即座に携帯電話に取り込むことが出来、携帯電話でコンテンツを探すことによるバッテリーの浪費を節約できる。さらにパソコン・テレビ・コンビニなどの情報端末で携帯電話用のコンテンツを効果的に販売できる。
【産業上の利用可能性】
【００４７】本発明は、画期的なｗｅｂシステムとして世界中で通用し、コンピュータ、テレビ、携帯電話など全ての端末で再現できるため、全く新しいコンテンツを世界中で実現できる。
また地球の反対側に住んでいる人とコミュニケーションできるためＳＮＳの新たなコンテンツになり、世界平和にも貢献できる。そしてインターネットと放送、無線通信を融合させるビジネスの理想的な仕様としてショッピング・検索・広告を新たな感覚で使用できＷｅｂ２．０・クロスメディア事業を優位に実現させることが可能である。
【図面の簡単な説明】
【００４８】
【図１】本発明の請求項１の電子画面に表示される表示例を示す図である。
【図２】本発明の請求項１の構成で行われる電子地図について説明するフローチャート。
【図３】本発明の請求項２の電子画面に表示される表示例を示す図である。
【図４】本発明の請求項２の構成で行われる情報処理について説明するフローチャート。
【図５】本発明の請求項３の構成で行われるリンク形成について説明するフローチャート。
【図６】本発明の請求項４の電子画面に表示される表示例を示す図である。
【図７】本発明の請求項４の構成で行われる透明なリンクボタンの表示について説明するフローチャートである。
【図８】本発明の請求項５の電子吹き出しに表示される表示例を示す図である。
【図９】本発明の請求項５の構成で行われる電子吹き出しについて説明するフローチャート。
【図１０】本発明の請求項６の構成で行われる電子音変換について説明するフローチャート。
【図１１】本発明に適用した通信・放送システムの構成を示す図である。
【図１２】本発明の請求項７の電子画面に表示される表示例を示す図である。
【図１３】本発明の請求項７の構成で行われるＱＲコードについて説明するフローチャート。
【図１４】本発明の請求項７の構成で行われる支払い方法のブロック図である。
【図１５】本発明の請求項７の構成で行われる支払い方法について説明するフローチャート。
【図１６】本発明の請求項７の構成を示す見取り図とＱＲコードのリライトカードである。
【符号の説明】
３００  ネットワーク
３０１  コンテンツサーバー
３０２  広告サーバー
３０３  検索エンジン
３０４  電子メールサーバー
３０５  コンビニなどの情報端末
３０６  パソコン
３０７  デジタルＴＶ
【図１】
2010044728.tif 000003
【図２】
2010044728.tif 000004
【図３】
2010044728.tif 000005
【図４】
2010044728.tif 000006
【図５】
2010044728.tif 000007
【図６】
2010044728.tif 000008
【図７】
2010044728.tif 000009
【図８】
2010044728.tif 000010
【図９】
2010044728.tif 000011
【図１０】
2010044728.tif 000012
【図１１】
2010044728.tif 000013
【図１２】
2010044728.tif 000014
【図１３】
2010044728.tif 000015
【図１４】
2010044728.tif 000016
【図１５】
2010044728.tif 000017
【図１６】
2010044728.tif 000018